(57)【要約】【課題】  フロアからの水漏れを防止することができる壁パネルのフロアへの設置構造を提供すること。【解決手段】  浴室ユニット１０のフロア２１の縁部に形成された立上げ部２２の壁パネル支持部２２ｂを、室外側から室内側に向って下り傾斜になった傾斜面に形成した。また、壁パネル１２ａ等の下面を壁パネル支持部２２ｂの上面に対応する傾斜面に形成した。そして、壁パネル支持部２２ｂの上面に係合凸部２５を形成するとともに、壁パネル１２ａ等の下面に係合凸部２５に係合可能な被係合凹部２６を形成して、係合凸部２５と被係合凹部２６とを係合させることによりフロア２１と壁パネル１２ａ等とを連結した。また、フロア２１と壁パネル１２ａ等との接合部における室内側部分にシール部材２４を設けた。【選択図】  図２
2006070654.tif 000002
【特許請求の範囲】
【請求項１】
室内の床面を構成するフロアの縁部側部分の上面に壁パネルを設置する壁パネルのフロアへの設置構造であって、
前記フロアの縁部側部分の上面に、室外側から室内側に向って所定の水勾配を備えた流水路を設けたことを特徴とする壁パネルのフロアへの設置構造。
【請求項２】
前記流水路を前記フロアの縁部側部分の上面の略全面で構成するとともに、前記壁パネルの下面を前記フロアの縁部側部分の上面に対応する傾斜面に形成し、前記フロアの縁部側部分の上面に凸部または凹部からなる係合部を形成するとともに、前記壁パネルの下面に前記係合部に係合可能な凹部または凸部からなる被係合部を形成して、前記係合部と前記被係合部とを係合させることにより前記フロアに前記壁パネルを設置した請求項１に記載の壁パネルのフロアへの設置構造。
【請求項３】
前記流水路を前記フロアの縁部側部分の上面の略全面で構成するとともに、前記壁パネルの下面を前記フロアの縁部側部分の上面に対応する傾斜面に形成し、前記フロアと前記壁パネルとの室外側部分を係合部材を介して連結した請求項１に記載の壁パネルのフロアへの設置構造。
【請求項４】
前記流水路を溝部で構成した請求項１に記載の壁パネルのフロアへの設置構造。
【請求項５】
前記フロアと前記壁パネルとの接合部における室内側部分にシール部材を設けた請求項１ないし４のうちのいずれか一つに記載の壁パネルのフロアへの設置構造。
【発明の詳細な説明】
【技術分野】
【０００１】
本発明は、壁パネルをフロアの縁部に設置するための壁パネルのフロアへの設置構造に関する。
【背景技術】
【０００２】
従来から、例えば、ユニット式の浴室は、浴槽フロアと洗い場フロアとからなるフロアの周縁部に壁パネルを起立状態で設置するとともに、各壁パネルの上端部に天井パネルを取り付けて構成されている。そして、各パネルやフロアの設置構造における各パネル等の間、特に、フロアと壁パネルとの間には、止水構造が設けられている（例えば、特許文献１参照。）。
【０００３】
このパネル等の設置構造では、フロアの縁部を、フロアから立ち上がった立上部と、立上部の上端縁部から水平に延びるフランジ状の壁パネル載置片と、壁パネル載置片の縁部から立ち上がった水返し片とで構成している。そして、壁パネル載置片の上に壁パネルを設置するとともに、水返し片に下方が開口したパネル枠を被せ、壁パネル載置片と壁パネルとの間にシリコンからなる充填材を設け、水返し片とパネル枠との間に封水材を設けて止水している。
【特許文献１】特開２００３−６４８９５号公報
【発明の開示】
【０００４】
しかしながら、前述した従来のパネルの設置構造では、充填材に壁パネルの重量がそのまま掛かってしまうため、その重みによって充填材が傷み易いという問題がある。また、壁パネル載置片が水平方向に延びているため、壁パネル載置片と壁パネルの下面との間に水が溜まり易く、さらに充填材が傷んだ場合には、その部分に隙間が生じて水が溜まりやすくなり、この水が壁パネルの裏側にまわって場合によってはフロアから漏れてしまうという問題もある。
【０００５】
本発明は、前述した問題に対処するためになされたもので、その目的は、フロアからの水漏れを防止することができる壁パネルのフロアへの設置構造を提供することである。
【０００６】
前述した目的を達成するため、本発明に係る壁パネルのフロアへの設置構造の構成上の特徴は、室内の床面を構成するフロアの縁部側部分の上面に壁パネルを設置する壁パネルのフロアへの設置構造であって、フロアの縁部側部分の上面に、室外側から室内側に向って所定の水勾配を備えた流水路を設けたことにある。
【０００７】
前述のように構成した本発明に係る壁パネルのフロアへの設置構造では、フロアの縁部側部分の上面に、室外側から室内側に向って所定の水勾配を備えた流水路を設けている。このため、室内側の水が飛散したり、溢れたりしてフロアと壁パネルとの接合部の隙間に浸入しても、その水は、流水路に沿って室内側に流れる。この結果、フロアと壁パネルとの接合部の隙間に水が溜まり、室外側に漏れてくといったことは生じなくなる。この場合のフロアの縁部側部分は、フロアの縁部でも縁部に設けられた周壁部などでもよい。また、この壁パネルのフロアへの設置構造は、浴室ユニット、トイレユニット、洗面室ユニット等、止水機能が要求されるフロアと壁パネルを備えた各種衛生設備室において用いることができる。
【０００８】
また、本発明にかかる壁パネルのフロアへの設置構造の他の構成上の特徴は、流水路をフロアの縁部側部分の上面の略全面で構成するとともに、壁パネルの下面をフロアの縁部側部分の上面に対応する傾斜面に形成し、フロアの縁部側部分の上面に凸部または凹部からなる係合部を形成するとともに、壁パネルの下面に係合部に係合可能な凹部または凸部からなる被係合部を形成して、係合部と被係合部とを係合させることによりフロアに壁パネルを設置したことにある。
【０００９】
これによると、フロアの縁部側部分の上面の大部分で流水路が構成されるため、フロアと壁パネルとの接合部のどの部分から水が浸入してもその水は確実に室内側に流れる。このため、より確実な止水（外部への水漏れ防止）が行える。また、壁パネルの下面をフロアの縁部側部分の上面に対応する傾斜面に形成しているが、フロアと壁パネルとを係合部と被係合部とを係合させることによって連結しているため、安定した状態で壁パネルをフロアに設置することができる。また、この場合、流水路を構成するフロアの縁部側部分の上面を壁パネルの下面が覆うようになるが、フロアの縁部側部分の上面と壁パネルの下面との間の隙間に水が浸入してもその水はフロアの縁部側部分の上面を伝わって室内側に流れる。
【００１０】
この場合の係合部と被係合部としては、係合部を凸部で構成し、被係合部を凹部で構成することが好ましい。また、係合部と被係合部とは、フロアの縁部および壁パネルの下面における長手方向に沿った部分全体に設けてもよいし、間隔を保って所定箇所に設けてもよい。さらに、係合部をフロアの縁部の長手方向に沿って延びる凸部で構成した場合には、その所定部分に水を通すための流水孔を設けることが好ましい。これによって、係合部部分に水が溜まることを防止できる。
【００１１】
また、本発明に係る壁パネルのフロアへの設置構造のさらに他の構成上の特徴は、流水路をフロアの縁部側部分の上面の略全面で構成するとともに、壁パネルの下面をフロアの縁部側部分の上面に対応する傾斜面に形成し、フロアと前記壁パネルとの室外側部分を係合部材を介して連結したことにある。
【００１２】
これによると、フロアの縁部側部分の上面には、壁パネルを取り付けるための係合部や被係合部が設けられてなく、その略全面で流水路が形成される。このため、フロアと壁パネルとの接合部のどの部分から水が浸入してもその水は確実に室内側に流れ、さらに確実な止水が行える。この場合の略全面は、フロアの縁部側部分の上面の全面であってもよいし、フロアの縁部側部分の上面の一部を除いた大部分であってもよい。また、壁パネルの下面をフロアの縁部側部分の上面に対応する傾斜面に形成しているが、フロアと壁パネルとを係合部材を介して連結しているため、壁パネルを安定した状態でフロアに設置することができる。また、係合部材が室外側部分に設けられるため、係合部材によって室内側の外観が損なわれることがない。
【００１３】
また、本発明に係る壁パネルのフロアへの設置構造のさらに他の構成上の特徴は、流水路を溝部で構成したことにある。この場合、溝部を、フロアの縁部の長手方向に所定間隔を保って複数個形成することができる。これによると、溝部の底部だけを室外側から室内側に向って所定の水勾配を備えた傾斜部に形成し、溝部の上縁部は水平面上に位置するように形成することができる。このため、下面が水平面に形成された一般的な壁パネルを適用することができるとともに、溝部の上縁部上に壁パネルを安定した状態で設置することができる。また、溝部としては、四角樋状のものや室内側から見た形状が波状になったものなどを用いることができる。また、溝部の数も１個でもよいし、複数個でもよい。
【００１４】
また、本発明に係る壁パネルのフロアへの設置構造のさらに他の構成上の特徴は、フロアと壁パネルとの接合部における室内側部分にシール部材を設けたことにある。これによると、水が流水路側に浸入する前に、フロアと壁パネルとの接合部における室内側部分で止めることができる。また、シール部材には、壁パネルの重さは殆どかからないため、壁パネルの重さによってシール部材が損傷することはない。
【発明を実施するための最良の形態】
【００１５】
（第１実施形態）
以下、本発明に係る壁パネルのフロアへの設置構造の第１実施形態を図面を用いて説明する。図１は、同実施形態に係る設置構造２０を備えた浴室ユニット１０を示している。この浴室ユニット１０は、浴槽１１を備えており、浴槽１１は、浴槽フロア（図示せず）の上面に設置されている。そして、浴槽フロアの一方の縁部（浴室ユニット１０の中央側に位置する縁部）には、洗い場フロア２１ａが接続されている。この浴槽フロアと洗い場フロア２１ａとでフロア２１が構成され、フロア２１の周縁部に壁パネル１２ａ，１２ｂ，１２ｃ（図示の手前側の壁パネルは図示せず）が起立状態で設置されている。
【００１６】
そして、壁パネル１２ａ等の上端には、天井パネル（図示せず）が掛け渡されて固定されている。浴室ユニット１０を構成する浴槽１１、フロア２１、天井パネル等は、それぞれ樹脂の成形体で構成されている。また、壁パネル１２ａには、浴室ユニット１０と脱衣室（図示せず）との間を開閉するドア１３が設けられている。そして、フロア２１の上面における壁パネル１２ｂに沿った部分にカウンター１４が設けられ、壁パネル１２ｂにおけるカウンター１４の上方に棚１５や鏡１６が設けられている。
【００１７】
また、カウンター１４の上面における浴槽１１側部分には、浴槽１１内に湯や水を取り出したり、カウンター１４で使用する湯や水を取り出したりするための水栓１７が設けられている。そして、カウンター１４の前側面における壁パネル１２ａ側部分には、シャワー１８が設けられ、その先端把持部が壁パネル１２ａに設けられた支持部１８ａに着脱可能に保持されている。また、壁パネル１２ａには、手摺１９も設けられている。
【００１８】
フロア２１は、床面部２１ｂと、床面部２１ｂの周縁部から立ち上がって形成された立上げ部２２とで構成されている。立上げ部２２には壁パネル１２ａ等が設置される。そして、設置構造２０は、図２に示したように、立上げ部２２、壁パネル１２ａ等のパネル下部２３およびシール部材２４で構成されている。立上げ部２２は、床面部２１ｂの縁部から上方に延びる垂直部２２ａと、垂直部２２ａの上端から浴室ユニット１０の外部側（以下、室外側と記す。）の斜め上方に向かって延びる壁パネル支持部２２ｂと、壁パネル支持部２２ｂの上端から上方に延びる垂直縁部２２ｃとで構成されている。壁パネル支持部２２ｂの上面は、室外側から室内側に向って所定の水勾配を備えた傾斜面に形成されている。
【００１９】
そして、壁パネル支持部２２ｂの上面における幅方向（室内側から室外側に向かう方向）の略中央部に、上方に向って延びる本発明の係合部としての係合凸部２５が壁パネル支持部２２ｂの長手方向に沿って設けられている。この係合凸部２５は、図３に示したように、壁パネル支持部２２ｂの長手方向に間隔を保って複数個設けられており、各係合凸部２５の下部には、係合凸部２５の長手方向に間隔を保って２個の流水孔２５ａがそれぞれ形成されている。壁パネル支持部２２ｂの上面における係合凸部２５が設けられた部分を除く略全面と各流水孔２５ａとで本発明の流水路が構成される。
【００２０】
壁パネル１２ａ等のパネル下部２３の下面は、壁パネル支持部２２ｂの上面に対応した同じ角度の傾斜面に形成されている。そして、パネル下部２３の下面の幅方向における中央部には、係合凸部２５と係合可能な、本発明の被係合部としての被係合凹部２６がパネル下部２３の下面の長手方向に沿って設けられている。この係合凸部２５と被係合凹部２６との係合によって、壁パネル１２ａ等は、壁パネル支持部２２ｂの上面に安定した状態で設置される。また、立上げ部２２とパネル下部２３との接合部における室内側部分の隙間には、弾性ゴムからなるシール部材２４が充填されている。
【００２１】
以上のように設置構造２０は構成されているため、浴室ユニット１０内で入浴者が水栓１７やシャワー１８の湯や水を使ったり、浴槽１１内の湯を使ったりしても、その湯水がフロア２１の室外側に漏れることを防止できる。すなわち、浴室ユニット１０内で使用した湯水が飛散したり、フロア２１上に溜まったりして、立上げ部２２とパネル下部２３との接合部に達しても、その湯水はシール部材２４によって、壁パネル支持部２２ｂの上面とパネル下部２３の下面との間の隙間に浸入することを防止される。
【００２２】
また、シール部材２４が破損していたり、長期間の使用により朽ちていたりして、湯水がシール部材２４の部分を越えて壁パネル支持部２２ｂの上面とパネル下部２３の下面との間に浸入した場合でも、壁パネル支持部２２ｂの上面が室外側から室内側に向って下り傾斜になった傾斜面に形成されているため、浸入した湯水は、壁パネル支持部２２ｂの上面に溜まってしまうことがなく、係合凸部２５間と流水孔２５ａ等で構成される流水路に沿って室内側に流れる。
【００２３】
この結果、湯水が、壁パネル支持部２２ｂの上面とパネル下部２３の下面との間よりもさらに奥側に浸入して室外に漏れるといったことは生じなくなる。また、壁パネル支持部２２ｂの上面とパネル下部２３の下面とをそれぞれ傾斜面に形成しているが、係合凸部２５と被係合凹部２６とを係合させているため、壁パネル１２ａ等を、壁パネル支持部２２ｂの上面に安定した状態で設置することができる。
【００２４】
また、壁パネル１２ａ等のフロア２１への設置が、係合凸部２５に被係合凹部２６を合わせるようにして、壁パネル支持部２２ｂの上面に壁パネル１２ａ等を順次載せて組み付けていき、立上げ部２２とパネル下部２３との接合部における室内側部分の隙間に、シール部材２４を取り付けるだけで済むため作業が容易である。
【００２５】
（第２実施形態）
図４は、本発明の第２実施形態にかかる設置構造３０を示している。この設置構造３０では、壁パネル支持部３２ｂに係合凸部が設けられてなく、壁パネル支持部３２ｂの上面は平面状の傾斜面に形成されている。また、パネル下部３３の下面に被係合凹部が設けられてなく、平面状の傾斜面に形成されている。そして、パネル下部３３の裏面にねじ３５を介して係合部材３６が固定されており、この係合部材３６の下部を垂直縁部３２ｃに係合させることにより、パネル下部３３は立上げ部３２に連結されている。
【００２６】
すなわち、係合部材３６は屈曲した板状体で構成されており、上部がねじ３５によってパネル下部３３の裏面に固定され、下部がパネル下部３３の裏面から所定間隔を保った状態になっている。そして、このパネル下部３３の裏面と係合部材３６の下部との隙間に、垂直縁部３２ｃを挿し込むことにより、パネル下部３３は立上げ部３２に連結されている。この場合、壁パネル支持部３２ｂの上面全体が流水路を構成する。この設置構造３０のそれ以外の部分の構成は、前述した設置構造２０と同一である。したがって、同一部分に同一符号を記して説明は省略する。
【００２７】
この設置構造３０では、パネル下部３３を立上げ部３２に連結するために、ねじ３５と係合部材３６とが用いられているが、このねじ３５と係合部材３６とがパネル下部３３の裏面に取り付けられているため、係合部材３６等によって室内側の外観が損なわれることがない。また、壁パネル１２ａ等をフロア２１に設置する際の立上げ部３２へのパネル下部３３の位置決めが容易になる。この設置構造３０のそれ以外の作用効果については、前述した設置構造２０と同様である。
【００２８】
（第３実施形態）
図５は、本発明の第３実施形態にかかる設置構造４０を示している。この設置構造４０では、壁パネル支持部４２ｂが水平支持部４５を備えており、パネル下部４３の下面は平面状の水平面に形成されている。そして、パネル下部４３は、壁パネル支持部４２ｂの水平支持部４５上に設置されている。壁パネル支持部４２ｂは、図６に示したように、水平支持部４５と流水部４６とが壁パネル支持部４２ｂの長手方向に沿って交互に形成された構成になっており、流水部４６は、室外側から室内側に向って所定の水勾配を備えた傾斜面で構成されている。
【００２９】
また、水平支持部４５は、壁パネル支持部４２ｂにおける室内側の縁部から垂直縁部４２ｃの手前にかけて形成されており、水平支持部４５と垂直縁部４２ｃとの間には、補助流水部４７が形成されている。補助流水部４７は、壁パネル支持部４２ｂの長手方向に沿った中央部が、水平支持部４５と同じ高さに設定された稜線部４７ａに形成され、その稜線部４７ａから壁パネル支持部４２ｂの長手方向に沿って離れるほど下方になる傾斜面で構成されている。そして、補助流水部４７の下流端は、流水部４６に滑らかに連なって合流している。この設置構造４０では、パネル下部４３と立上げ部４２との間にシール部材は設けられていない。この設置構造４０のそれ以外の部分の構成は、前述した設置構造２０と同一である。したがって、同一部分に同一符号を記して説明は省略する。
【００３０】
このように構成したため、壁パネル支持部４２ｂの上面と、パネル下部４３の下面との間に入った湯水は、図６に示した矢印に沿って流れる。すなわち、流水部４６に入った湯水は、そのまま流水部４６の傾斜に沿って室内側に流れる。また、水平支持部４５の奥側に浸入した湯水は、補助流水部４７上を流水部４６に向って流れ、流水部４６に達したのちは、流水部４６の傾斜に沿って室内側に流れる。このため、湯水が、垂直縁部４２ｃを乗り越えて室外に漏れるといったことは生じない。また、パネル下部４３の下面を水平面に形成し、壁パネル支持部４２ｂに水平支持部４５を設けたため、下面が平面状の水平面である一般的な壁パネルを適用することができるとともに、壁パネル１２ａ等を安定した状態で立上げ部４２に設置することができる。この設置構造４０のそれ以外の作用効果については、前述した設置構造２０と同様である。
【００３１】
（第４実施形態）
図７は、本発明の第４実施形態にかかる設置構造５０を示している。この設置構造５０では、壁パネル支持部５２ｂの上面が、図８に示したように複数の溝部５５が連なった波状に形成されており、パネル下部５３の下面は平面状の水平面に形成されている。そして、パネル下部５３は、壁パネル支持部５２ｂの上面に形成された溝部５５の稜線部５５ａ上に設置されている。壁パネル支持部５２ｂの上面は、稜線部５５ａと谷部５５ｂとが交互に形成された波状の溝部５５を複数個形成して構成されており、稜線部５５ａはすべて水平面上に位置し、谷部５５ｂは、室外側から室内側に向って所定の水勾配を備えた下り傾斜になっている。この設置構造５０のそれ以外の部分の構成は、前述した設置構造４０と同一である。したがって、同一部分に同一符号を記して説明は省略する。
【００３２】
このように構成したため、壁パネル支持部５２ｂの上面と、パネル下部５３の下面との間に入った湯水は、各谷部５５ｂに沿って分散して室内側に流れる。これによっても、湯水が、垂直縁部４２ｃを乗り越えて室外に漏れるといったことは生じない。この設置構造５０のそれ以外の作用効果については、前述した設置構造４０と同様である。
【００３３】
（第５実施形態）
図９は、本発明の第５実施形態にかかる設置構造６０を示している。この設置構造６０では、壁パネル支持部６２ｂの上面に形成された複数の溝部６５が垂直縁部６２ｃから壁パネル支持部６２ｂの室内側縁部の手前部分にかけて形成されている。また、パネル下部６３の下面における室内側の縁部には、下方に突出した突条６３ａがパネル下部６３の縁部に沿って形成されている。そして、パネル下部６３は、突条６３ａを溝部６５の室内側側部に合わせた状態で溝部６５の稜線部６５ａ上に設置されている。そして、突条６３ａと溝部６５の室内側側部との間に、シール部材６４が充填されている。この設置構造６０のそれ以外の部分の構成は、前述した設置構造５０と同一である。したがって、同一部分に同一符号を記して説明は省略する。
【００３４】
このように構成したため、溝部６５の波形状が突条６３ａに隠れて室内側から見えなくなるため、外観を損なうことが防止される。また、この設置構造６０では、シール部材６４が設けられているためシール性を向上させることができる。この設置構造６０のそれ以外の作用効果については、前述した設置構造５０と同様である。
【００３５】
また、本発明に係る壁パネルのフロアへの設置構造は、前述した各実施形態に限定するものでなく、適宜変更実施が可能である。例えば、前述した設置構造２０では、係合部を係合凸部２５で構成し、被係合部を被係合凹部２６で構成しているが、係合部を凹部で構成し、被係合部を凸部で構成してもよい。その場合、凸部は、パネル下部２３の長手方向に沿った長さを短くして流水路を広く形成できるようにする。
【００３６】
また、流水路を溝部で構成する場合には、溝部の形状は、幅広の四角や幅の狭い波状に限らず、幅の狭い四角樋状のものを複数個形成したり、幅の広い大きなうねりのような波状に形成したりすることができる。また、三角形の樋状に形成することもできる。さらに、前述した各実施形態では、設置構造２０等を浴室ユニット１０に設けているが、この発明にかかる止水構造は、浴室ユニットだけでなく、トイレユニットや洗面室ユニット等、各種衛生設備室に用いられる止水機能が要求されるフロアと壁パネルを備えたものであれば利用が可能である。また、前述した部分以外の部分の構成についても、前述した各実施形態に限定することなく、本発明の技術的範囲内で適宜変更して実施することができる。
【図面の簡単な説明】
【００３７】
【図１】本発明に係る設置構造を備えた浴室ユニットを示した斜視図である。
【図２】第１実施形態に係る設置構造の要部を示した断面図である。
【図３】第１実施形態に係る設置構造の立上げ部を示した斜視図である。
【図４】第２実施形態に係る設置構造の要部を示した断面図である。
【図５】第３実施形態に係る設置構造の要部を示した断面図である。
【図６】第３実施形態に係る設置構造の立上げ部を示した斜視図である。
【図７】第４実施形態に係る設置構造の要部を示した断面図である。
【図８】第４実施形態に係る設置構造の立上げ部を示した斜視図である。
【図９】第５実施形態に係る設置構造の要部を示した断面図である。
【符号の説明】
【００３８】
１０…浴室ユニット、１２ａ，１２ｂ，１２ｃ…壁パネル、２０，３０，４０，５０，６０…設置構造、２１…フロア、２２，３２，４２…立上げ部、２２ｂ，３２ｂ，４２ｂ，５２ｂ，６２ｂ…壁パネル支持部、２３，３３，４３，５３，６３…パネル下部、２４，６４…シール部材、２５…係合凸部、２５ａ…流水孔、２６…被係合凹部、３６…係合部材、４５…水平支持部、４６…流水部、５５ａ，６５ａ…稜線部、４７…補助流水部、５５，６５…溝部、５５ｂ…谷部。
【図１】
2006070654.tif 000003
【図２】
2006070654.tif 000004
【図３】
2006070654.tif 000005
【図４】
2006070654.tif 000006
【図５】
2006070654.tif 000007
【図６】
2006070654.tif 000008
【図７】
2006070654.tif 000009
【図８】
2006070654.tif 000010
【図９】
2006070654.tif 000011